(57)【要約】【課題】外出時、室内が無人でもドアチエンがかけられると、１つのドアに２つの鍵がかかる万全の安全対策、さらに鍵孔形状の探査を極度に妨害する構造、扉につける副凾と、柱側主凾との段差を埋める省力施工手段。【解決手段】開口側柱Ｐ面に滑降溝４を有した主凾２を固設し、挿入した鎖Ｃ付スライダーＳを係止中、押釦１６，２３（室内外用）を押して係止解除すると、スライダーは自動滑降して隣設の副凾１側降下溝５に進入し、逆止片７を傾動して落下し下方の止ラック８に当接して停止するため、スライダーＳと鎖Ｃにより柱と扉に掛止する施錠が行なわれる。開錠は室内では、止ラック８直結の鍔つき引棒３９を引いて行う。反面室外では、鍵７０でピニオンを回し止ラック８を移動して行う。扉Ｄに付設した台板２４の螺孔軸２６を開口側柱Ｐ面の延長線上に合せて固定したうえで副凾１を螺着し、周側面を囲板２９で固着して堅牢化を計り、主凾２と同一平面上で降下溝５端口と滑降溝４端口を正確に整合する。鍵挿入経路に突条を設け、鍵にも溝を削成する、鍵孔を隠蔽する特殊錠の内装も可。【選択図】　図１
2004027810.tif 000002
【特許請求の範囲】
【請求項１】
開口側柱の室内面に固設した主凾の滑降溝と、他方扉との間隔を自在に調節できる副凾の降下溝同士を整合して扉に固設し、該滑降溝内には室内外から操作できる押釦に連動して出没する受ラックを、他方降下溝内上方には上向き付勢で水平を保つ逆止片を、かつ下方には室外から探査至難の鍵孔付段軸側のピニオンと歯合し、別の鎖つきスライダーの脱落を防ぐ止ラックを夫々内設した戸外からも掛け外しができる鎖錠。
【請求項２】
鍵の挿入経路に突条を形成した異形孔を設け、その前方に鍵挿入妨害の突起を出没できるカード錠や、別の磁力板で鍵孔隠蔽を開閉できる磁力錠などを任意に選定して扉に内設した請求項１記載の戸外からも掛け外しができる鎖錠。
【発明の詳細な説明】
【０００１】
【発明の属する技術分野】
本発明は、閉扉時室内外から釦操作で補助錠の役目をする鎖の掛け外しができる鍵孔探査難の鎖錠に関する。
【０００２】
【従来の技術】
従来、鎖錠は室内から掛け外しができるが室外からは不可能で、動けない人を残したり全員外出では、主錠だけとなり不法開錠され易い危険状態であった。
その為、電動鎖錠や扉を若干開いて隙間から鎖掛けをする補助錠も提供されたが、前者は断電時自動開錠で危険、後者は夜間操作は煩わしく、かつ暗誦数字を解読されて不法開錠され易い防犯上の障害となっていた。亦、合鍵模作のできない海外製品も散見するが、超高価がネックで大衆向きしない。
【０００３】
【発明が解決しようとする課題】
元来鎖錠は、室内から住人が施錠しないと外出時には主錠のみとなり、不法開錠され易いため、留守番を残すか或いはピッキングが至難の高価な輸入錠にしない限り戸締りは確保できない防犯上の問題がある。
【０００４】
本発明は、住人が不在または寝たきりでも閉扉中室外から鎖錠の掛け外しができる利便と保全の多機能を確立し、さらに鍵孔形状の探査妨害および鍵孔までの挿入経路に異物進入の阻止部材などを配備した二段構えの防犯手段を廉価に提供することを目的とする。
【０００５】
【課題を解決するための手段】
上記の目的を達成するため、本発明の戸外からも掛け外しができる鎖錠は、開口側柱の室内面に固設した主凾の滑降溝と、他方扉との間隔を自在に調節できる副凾の降下溝同士を整合して扉に固設し、該滑降溝内には室内外から操作できる押釦に連動して出没する受ラックを、他方降下溝内上方には上向き付勢で水平を保つ逆止片を、かつ下方には室外から探査至難の鍵孔付段軸側のピニオンと歯合し、別の鎖つきスライダーの脱落を防ぐ止ラックを夫々内設したものである。
【０００６】
上記戸外からも掛け外しができる鎖錠における鍵の挿入経路に突条を形成した異形孔を設け、その前方に鍵挿入妨害の突起を出没できるカード錠や、別の磁力板で鍵孔隠蔽を開閉できる磁力錠などを任意に選定して扉に内設すると効果的。
【０００７】
【発明の実施の形態】
本発明の実施形態を実施例に基き、図面により説明する。
全体の配置を示す図２の要部部材を拡大した図１において、開口側柱Ｐの室内側表面で手の届く位置に主凾２を固設し、その上方には先端にスライダーＳを係着した鎖Ｃの他端を係留する。主凾２の表面に形成した嵌入口３から斜めに欠切したみぞ形の滑降溝４端口に、他方主凾２の近傍で扉Ｄ側に固設する副凾１にキセル状に欠切したみぞ形の降下溝５端口を目視で整合し、該副凾１の表面を主凾２の表面に合致させて固設（後述）する。そして主凾２の滑降溝４に内設したスライダーＳの滑落を阻止する受ラック１１を後退させる手段として、室内用の押釦２３を滑降溝４の近傍に、室外用の押釦１６を扉Ｄ側端近傍に夫々突出状に設ける。また、扉Ｄ側の降下溝５内上方には上向きの弾機付勢により水平を保つ逆止片７を、かつ下方には鍵孔付段軸のピニオン９と歯合し、案内筒１Ｂ内を規制幅ｌだけ移動後バネ３９Ｂで復帰し、かつ鍔３９Ａを囲い１Ａ内に突出した引棒つきの止ラック８を夫々内設する。
【０００８】
図３に示すとおり副凾１の表面を主凾２に揃えるには、予め副凾１の囲い１Ａを除いた長方形と同面積の台板２４の上辺を、主凾２の上辺延長線上に合致させ、かつ閉扉時戸当りＴに接触せぬよう扉Ｄに止ネジ２５で固着する、そして台板２４に螺合した各螺孔軸２６，２６の多角形頭部を回して、その先端面すべてを開口側柱Ｐの室内側表面の延長線上に合致させ、ナット２８で各螺孔軸２６が弛緩せめよう台板２６に締めつけて固定する。そして該螺孔軸先端に副凾１を止ネジ２５Ａで、かつ降下溝５側では皿ネジ２５Ｂで固着するが、滑降溝４と降下溝５の両端口同士は食い違いのないよう正確に整合することは施工上の厳守ルールである。
また、副凾１取付後塵埃進入防止の囲板２９で降下溝５端口を除いた側面の周囲を螺着すると共に、非常用備品が吊れる化粧板（図示せず）で表面を隠蔽すれば台板に副凾１取付時のドライバー挿入孔の目隠しとなり、副凾の補強となる。
【０００９】
図４において、室内側の押釦２３を押しこむと釦軸１５に立設した連結軸１４と一体の受ラック１１は、押バネ１２を縮退して主凾の背面側に移動するため、開放されたスライダーＳは副凾１の降下溝５に滑りこみ自重によって図５および図９における逆止片７を矢印方向に捩りばね３０と共に下方に傾動して通過し下方の止ラック８に当接停止して、鎖Ｃによる開口側柱Ｐと扉Ｄの双方に掛止が成立し補助錠態勢は整う。逆止片７先端に形成の突片７Ａは、主凾１の降下溝５端縁の平行線側に形成した凹部３１，３１の上縁に当接して、捩りばね３０による上方付勢を制止して逆止片を水平に保つものである。また、室外側の押釦１６を押しこむと図３に示す如く釦軸１５はラック片１７を前進させ歯合する軸歯車１３を回すから、その下方で歯合する別の受ラック１１は押バネ１２を圧縮して主凾２の背面側に移動し、開放されたスライダーＳは降下溝５側に滑りこみ、前述のとおり逆止片７を通過し下方の止ラック８に当接停止して掛止態勢が整う。押バネ１２と１８は、受ラック１１および押釦１６を前進方向に付勢し、反復押釦操作に備える。従って、本発明では室内外から鎖Ｃを開口側柱Ｐと扉Ｄに掛止するのは押釦１６および２３に限定されているため、該押釦にアクセサリーやイラストなどをつけるのも効果的によい。
【００１０】
図６および図７には、室外から鎖Ｃ掛止を開放するときに用いる鍵７０の挿入経路が示されているが、異形孔４９には相対側に突条４９Ａが形成してあり、軸線相対側に溝６３を削成した図１７の鍵しか使用できないうえ、その後方には複数以上の弾板３７が傾動復帰自在に付設してあるので、室外からこれらの障害物を排して鍵孔９Ａを探査したり、模造鍵を即製するのを妨害できる。
【００１１】
図１７に示す鍵７０の変形軸６５における断面は、図１９のとおり外径ｄの相対軸線側に溝６３が削成され、その直交側の外径ｄ１は該外径ｄより１００分の２乃至１００分の４ミリメートル大きい楕円形のため、模造鍵に溝があれば、異形孔４９通過後本番の鍵孔９Ａに挿入できるが、変形軸６５が楕円でなく眞円のため空転して役に立たないし、斯かる微小幅が膨出した変形軸は容易に作れない。
【００１２】
また図１８において、鍵７０の先端には変形軸６５に筒片６６が突設してあるが、それは一端側に鍵孔９Ａを有し、他端にピニオン９をキー９Ｃで一体とした段軸１０の中心部に挿通して扉Ｄに固着された案内筒９Ｂに内装された複数のコード９Ｄの最先端が該鍵孔９Ａの底部より突出して露出しているため、鍵７０先端の筒片６６が接触してもコードに直接触れないのでブザーが鳴動しないが、筒片の無い鍵では、鍵孔９Ａの底に接触するとコード同士が通電してブザーが鳴動し、不法進入者の退散につながる。
【００１３】
図１０および図１１に示す実施例は、鍵７０挿入妨害の突起を出没できるカード錠Ｋを扉に内設したもので、詳しくは異形孔４９の室外側前方に別の孔４１があり、その中間にカードＫ１を室外から挿入した時に限り、突起４１の斜面に鍵が当接して押圧が働くと、フリー状となった突起は後退して鍵の進入を許し異形孔４９を通過してピニオン９と直結の段軸１０側の鍵孔９Ａに到達挿入して開錠する。カードＫ挿入中は室内側のランプ４４が点滅器４５により有色光を発するため、カードの抜き忘れは防止される。該カードは抜きとればランプは消光とともに突起４０も孔４１内に突出し反復つぎの操作に備える。亦カード釦４３は、カードＫが抜きとりにくい時押しこんで離脱を補佐するものである。
【００１４】
図１４の実施例は、南京錠形式の磁力錠Ｍを援用したもので、掛金６０を挾持する半円溝を削成した当板５４Ａと、他方上下面に凹み５５Ａを有した把柄５５Ａを突設した抱持板５４を超硬質の埋材５９と共に鋲着して一体化し、扉の室外側に形成した凹部Ｄ１に嵌入し、別の周壁６２（斜鎖線で示す）を有した覆板５０を止螺６１により締めつけて内設する。該覆板５０の上部角孔５１には蝶軸５３で蓋５２が開閉自在に枢着され、磁力板（図示せず）を磁力錠Ｍに密接するとき開口する。亦右下の角孔５６は掛金６０が移動する距離を見込んで横長とする。仍って、操作は先ず蓋５２を下から押し上げて開口し、磁力板を磁力錠Ｍの側面に密接し抱持板５４の把柄５５を掴んで横に引き、掛金６０の一側が脱出すると該把柄を前方に倒回すると図１６系の如く孔５８が露出し、鍵挿入ができる。磁力板は紛失防止のため、鍵の小孔とチエンで繋留するとよい。
上記の如く、本発明は室外から鎖を外す手段はすべて鍵操作で止ラック８を移動し、スライダーＳを落下させて行うため、鍵孔形状の探査妨害と鍵の模作防止を重視して対策を計ったものである。
【００１５】
室内から鎖を外す方法は、副凾１の下方に形設した案内筒１Ｂ内で摺動距離ｌを規制された止ラック８に直結の引棒３９先端の鍔３９Ａを引張って鎖掛止を開放する超簡易操作にしたので、副凾１に囲い１Ａを付設して鍔に室外から手が届かないように計ってある。亦前記止ラック８は丸軸で硬質渡金を施し案内筒１Ｂの規制ネジ６固着により、案内筒１Ｂ上部の長溝１Ｃに相当する距離ｌだけ移動するが、室外から手を入れて降下溝５で露出する部分を移動させることは、止ラック８の軸形状と表面硬化が作用して度重なる実験でも移動が不可能であった。
【００１６】
【発明の効果】
本発明は、前述した如く構成されているため、つぎの如き諸効果を有する。
【００１７】
閉鎖中の扉面と開口側柱までの段差は均等でないが、至って簡易な螺子調整で両者（主凾と副凾）を同一面上に合致できるので、施工が著しく省力化する。
【００１８】
室内に人を残し、又無人状態で外出する場合、室外からワンタッチで鎖掛けができるから、ワンドア・ツーロックの防犯態勢により、残留者や外出者の心労軽減と安心感が充足する。
【００１９】
室外から鍵孔探査妨害の難所を突破して、特殊形状の鍵で鎖掛けが開放できるため、室内者を驚愕させずに開扉できる、故障し難いメカで耐用度抜群により
【００２０】
鍵の挿通経路に妨害部材があり、鍵孔形状が容易に探査できず、かつ超精密度の鍵を模作することも極度に困難のため、補助錠としての役目は倍増する。
【００２１】
隠蔽鍵孔の開放ができるカード錠や磁力錠などを援用の場合、防犯機能は更に充実するうえ、開放部材の模作は到底至難のため安全度は著しく向上する。
【００２２】
高価な輸入錠に比し、遜色のない利便と保全の両機能を廉価に提供できる。
【図面の簡単な説明】
【図１】鎖錠の室内側における慨略正面図である。
【図２】室内から見た図１の慨略配置図である。
【図３】図１のＡ−Ａ視横断面図である。
【図４】図３のＤ−Ｄ視縦断面図である。
【図５】図１のＢ−Ｂ視縦断面図である。
【図６】図１のＣ−Ｃ視横断面図である。
【図７】図６のＥ−Ｅ視平面図である。
【図８】図６のＦ−Ｆ視横断面図である。
【図９】逆止片つき取付凾の斜視図である。
【図１０】カード錠の実施例を示す室内側慨略配置図である。
【図１１】図１０のＧ−Ｇ視横断面図である。
【図１２】磁力錠の実施例を示す室内側慨略配置図である。
【図１３】図１２のＨ−Ｈ視横断面図である。
【図１４】磁力錠の実施例を拡大した要部の正面図である。
【図１５】図１４のＪ−Ｊ視縦断面図である。
【図１６】図１４のＫ−Ｋ視縦断面図である。
【図１７】鍵の斜視全体図である。
【図１８】鍵の挿通経路における慨略の横断面図である
【図１９】図１８のＬ−Ｌ視断面図である。
【符号の説明】
Ｐ　開口側柱
Ｄ　扉
Ｃ　鎖
Ｓ　スライダー
Ｋ　カード錠
Ｍ　磁力錠
１　副凾
２　主凾
４　滑降溝
５　降下溝
７　逆止片
８　止ラック
９　ピニオン
９Ａ　鍵孔
１０　段軸
１１　受ラック
１６，２３　押釦
４０　突起
４９　異形孔
４９Ａ突条
７０　鍵
【図１】
2004027810.tif 000003
【図２】
2004027810.tif 000004
【図３】
2004027810.tif 000005
【図４】
2004027810.tif 000006
【図５】
2004027810.tif 000007
【図６】
2004027810.tif 000008
【図７】
2004027810.tif 000009
【図８】
2004027810.tif 000010
【図９】
2004027810.tif 000011
【図１０】
2004027810.tif 000012
【図１１】
2004027810.tif 000013
【図１２】
2004027810.tif 000014
【図１３】
2004027810.tif 000015
【図１４】
2004027810.tif 000016
【図１５】
2004027810.tif 000017
【図１６】
2004027810.tif 000018
【図１７】
2004027810.tif 000019
【図１８】
2004027810.tif 000020
【図１９】
2004027810.tif 000021